(57)【要約】  信号検出回路（１１０）は、入力差動信号から直流電圧を除去する第１の直流電圧除去部（１１４）と、入力差動信号の振幅を調整するリミッティングアンプ（１１２）と、振幅調整後の入力差動信号に基づいて内部リセット信号を生成するリセット信号生成部（１１８）と、直流電圧を除去した信号にバイアス電圧を印加して検出用差動信号を生成する第１のバイアス電圧印加部（１１５）と、検出用差動信号に基づいてパケット信号の入力を示す状態を保持し、内部リセット信号に基づき保持を解除することにより、パケット検出信号を生成するフリップフロップ回路（１２０）と、を備え、リセット信号生成部は、振幅調整後の入力差動信号に基づく差動信号を単相信号へと変換する差動単相変換回路と、単相信号の電圧を保持する電圧保持回路と、電圧保持回路が保持する電圧と閾値電圧とを比較した結果に基づいて内部リセット信号を生成する電圧比較回路と、を備える。
2019163135.tif 000002
【特許請求の範囲】
【請求項１】
バースト状のパケット信号を含む入力差動信号から直流電圧を除去する第１の直流電圧除去部と、
前記入力差動信号の振幅を調整する振幅調整部と、
前記振幅調整部で振幅が調整された後の入力差動信号に基づいて前記パケット信号の先頭及び終了後に内部リセット信号を生成するリセット信号生成部と、
前記第１の直流電圧除去部で直流電圧を除去した信号に予め定められた値のバイアス電圧を印加して検出用差動信号を生成する第１のバイアス電圧印加部と、
前記検出用差動信号に基づいてパケット信号の入力を示す状態を保持し、前記内部リセット信号に基づき前記保持を解除することにより、前記パケット信号の信号入力及び信号断を示すパケット検出信号を生成するパケット検出信号生成部と、
を備え、
前記リセット信号生成部は、
前記振幅が調整された後の入力差動信号に基づく差動信号を単相信号へと変換する差動単相変換回路と、
前記単相信号の電圧を保持する電圧保持回路と、
前記電圧保持回路が保持する電圧と予め定めた閾値電圧とを比較した結果に基づいて前記内部リセット信号を生成する電圧比較回路と、
を備えることを特徴とする信号検出回路。
【請求項２】
前記振幅調整部で振幅が調整された後の入力差動信号から直流電圧を除去する第２の直流電圧除去部と、
前記第２の直流電圧除去部で直流電圧を除去した信号に予め定められた値のバイアス電圧を印加してリセット用差動信号を生成する第２のバイアス電圧印加部と、
を備え、
前記差動単相変換回路は、前記リセット用差動信号を単相信号へと変換する、
ことを特徴とする請求項１に記載の信号検出回路。
【請求項３】
前記パケット検出信号生成部は、外部から入力された外部リセット信号と前記内部リセット信号の論理和に基づいて前記保持を解除する、
ことを特徴とする請求項１または２に記載の信号検出回路。
【請求項４】
前記パケット検出信号生成部は、前記検出用差動信号をクロック入力端子に入力し、前記内部リセット信号と前記外部リセット信号の論理和をリセット入力端子に入力するリセット入力型Ｄフリップフロップ回路である、
ことを特徴とする請求項３に記載の信号検出回路。
【請求項５】
前記パケット検出信号生成部は、前記検出用差動信号をセット入力端子に入力し、前記内部リセット信号と前記外部リセット信号の論理和をリセット入力端子に入力するＳＲフリップフロップ回路である、
ことを特徴とする請求項３に記載の信号検出回路。
【請求項６】
前記電圧保持回路は、エミッタフォロワ回路と、前記エミッタフォロワ回路の電流源と並列に接続された電圧を保持するためのコンデンサと、を備える、
ことを特徴とする請求項１から５のいずれか１項に記載の信号検出回路。
【請求項７】
前記電圧比較回路は、互いに異なる閾値電圧を有する２つのコンパレータを有し、前記内部リセット信号は、前記電圧保持回路が保持する電圧を前記２つのコンパレータに入力したときの、前記２つのコンパレータの出力の排他的論理和である、
ことを特徴とする請求項１から６のいずれか１項に記載の信号検出回路。
【請求項８】
前記電圧保持回路は、２つのエミッタフォロワ回路と、各エミッタフォロワ回路の電流源と並列に接続された電圧を保持するための２つのコンデンサと、を備え、
前記２つのエミッタフォロワ回路の電流源の駆動電流又はコンデンサの容量値が互いに異なり、
前記電圧比較回路は、予め定めた閾値電圧を有する２つのコンパレータを有し、前記内部リセット信号は、前記２つのコンデンサで保持された電圧を前記２つのコンパレータに入力したときの、前記２つのコンパレータの出力の排他的論理和である、
ことを特徴とする請求項１から５のいずれか１項に記載の信号検出回路。
【請求項９】
前記振幅調整部は、入力差動信号の振幅が予め定められた振幅よりも大きい場合にはリミッティング処理を行い、入力差動信号の振幅が予め定められた振幅よりも小さい場合には増幅処理を行う、
ことを特徴とする請求項１から８のいずれか１項に記載の信号検出回路。
【請求項１０】
バースト状の光パケット信号を電流信号に変換する受光素子と、
前記受光素子から出力される電流信号を電圧信号に変換する前置増幅回路と、
前記前置増幅回路が出力する電圧信号を増幅する主増幅回路と、を備え、
前記主増幅回路は、請求項１から９のいずれか１項に記載の信号検出回路を有する、
ことを特徴とする光受信器。
【請求項１１】
請求項１０に記載の光受信器を有する親局装置。
【請求項１２】
バースト状のパケット信号の信号入力及び信号断を検出する光受信器における信号検出方法であって、
前記パケット信号を含む入力差動信号から直流電圧を除去する直流電圧除去ステップと、
前記入力差動信号の振幅を調整する振幅調整ステップと、
前記振幅調整ステップにて振幅を調整した後の信号に基づいて前記パケット信号の先頭及び終了後に内部リセット信号を生成するリセット信号生成ステップと、
前記直流電圧除去ステップで直流電圧を除去した信号に予め定められた値のバイアス電圧を印加して検出用差動信号を生成するバイアス印加ステップと、
前記検出用差動信号に基づいてパケット信号の入力を示す状態を保持し、前記内部リセット信号に基づき前記保持を解除することにより、前記パケット信号の信号入力及び信号断を示すパケット検出信号を生成するパケット検出信号生成ステップと、
を含み、
前記リセット信号生成ステップは、
前記振幅調整ステップにて振幅を調整した後の信号に基づく差動信号を単相信号へと変換する差動単相変換工程と、
前記単相信号の電圧を保持する電圧保持工程と、
前記電圧保持工程で保持する電圧と予め定めた閾値電圧との比較した結果に基づいて前記内部リセット信号を生成する電圧比較工程と、
を有する、
ことを特徴とする信号検出方法。
【発明の詳細な説明】
【技術分野】
【０００１】
本発明は、バースト送信される光信号の先頭および末尾を検出する信号検出回路、光受信器、親局装置および信号検出方法に関する。
【背景技術】
【０００２】
バースト送信される光信号を検出する従来の回路の例が特許文献１に記載されている。特許文献１に記載された信号検出回路は、ＰＯＮ（Passive  Optical  Network）システムと呼ばれる１対多光通信システムの親局装置であるＯＬＴ（Optical  Line  Terminal：光加入者線終端装置）において、子局装置であるＯＮＵ（Optical  Network  Unit：光ネットワーク装置）からバースト送信される光信号を検出する。【０００３】
特許文献１に記載の信号検出回路は、子局装置からバースト送信された光信号であるバースト状のパケット光信号の先頭部分を示す波形の信号が入力されると出力信号の状態をラッチするフリップフロップ回路を備る。特許文献１に記載の信号検出回路は、パケット光信号の入力開始をフリップフロップ回路で検出し、パケット光信号の入力が無くなるとフリップフロップ回路をリセットして次のパケット光信号の入力を待つ。
【先行技術文献】
【特許文献】
【０００４】
【特許文献１】特開２０１５−８８８５０号公報
【発明の概要】
【発明が解決しようとする課題】
【０００５】
特許文献１に記載の信号検出回路においてフリップフロップ回路のリセット信号を生成するリセット信号生成部は、入力信号の振幅を時間軸に対して積分し、積分処理で求めた値を閾値判定することによりリセット信号を生成する。そのため、特許文献１に記載の信号検出回路では、高速応答特性とＳＮＲ（Signal−to−Noise  Ratio）の劣化による誤動作可能性の特性とがトレードオフの関係にあり、高速応答特性を高めようとすると誤動作の発生頻度が高まる。【０００６】
本発明は、上記に鑑みてなされたものであって、誤動作の発生頻度が高まるのを抑制しつつ高速応答特性を高めることが可能な信号検出回路を得ることを目的とする。
【課題を解決するための手段】
【０００７】
上述した課題を解決し、目的を達成するために、本発明にかかる信号検出回路は、バースト状のパケット信号を含む入力差動信号から直流電圧を除去する第１の直流電圧除去部と、入力差動信号の振幅を調整する振幅調整部と、振幅調整部で振幅が調整された後の入力差動信号に基づいてパケット信号の先頭及び終了後に内部リセット信号を生成するリセット信号生成部と、を備える。また、信号検出回路は、第１の直流電圧除去部で直流電圧を除去した信号に予め定められた値のバイアス電圧を印加して検出用差動信号を生成する第１のバイアス電圧印加部と、検出用差動信号に基づいてパケット信号の入力を示す状態を保持し、内部リセット信号に基づき保持を解除することにより、パケット信号の信号入力及び信号断を示すパケット検出信号を生成するパケット検出信号生成部と、を備える。リセット信号生成部は、振幅が調整された後の入力差動信号に基づく差動信号を単相信号へと変換する差動単相変換回路と、単相信号の電圧を保持する電圧保持回路と、電圧保持回路が保持する電圧と予め定めた閾値電圧とを比較した結果に基づいて内部リセット信号を生成する電圧比較回路と、を備える。
【発明の効果】
【０００８】
本発明にかかる信号検出回路は、誤動作の発生頻度が高まるのを抑制しつつ高速応答特性を高めることができるという効果を奏する。
【図面の簡単な説明】
【０００９】
【図１】実施の形態１にかかる光通信システムの構成例を示す図
【図２】実施の形態１にかかる光受信器の構成例を示す図
【図３】実施の形態１にかかる信号検出回路が備えるリセット信号生成部の構成例を示す図
【図４】実施の形態１にかかる光受信器による信号検出動作のタイミングチャートを示す図
【図５】実施の形態１にかかる信号検出回路のリセット信号生成部の動作を説明するための図
【図６】実施の形態２にかかる信号検出回路が備えるリセット信号生成部の構成例を示す図
【図７】実施の形態２にかかる光受信器による信号検出動作のタイミングチャートを示す図
【図８】実施の形態３にかかる信号検出回路が備えるリセット信号生成部の構成例を示す図
【発明を実施するための形態】
【００１０】
以下に、本発明の実施の形態にかかる信号検出回路、光受信器、親局装置および信号検出方法を図面に基づいて詳細に説明する。なお、この実施の形態によりこの発明が限定されるものではない。
【００１１】
実施の形態１．
図１は、本発明の実施の形態１にかかる光受信器を備える光通信システムの構成例を示す図である。
【００１２】
本実施の形態にかかる光通信システム１は、１対多光通信の形式を採ったＰＯＮシステムである。光通信システム１は、図１に示すように、親局装置である１台のＯＬＴ１０と、複数の子局装置であるＯＮＵ２０と、光信号を受動的に分岐および合流する光スターカプラ３０と、を備えている。全てのＯＮＵ２０は、１以上の光スターカプラ３０と、光ファイバ３２とを介して、ＯＬＴ１０に接続されている。
【００１３】
ＯＬＴ１０は、光受信器１１、光送信器１２、波長多重カプラ１３および伝送制御部１４を備える。波長多重カプラ１３は、光波長の異なる下り信号と上り信号とを、それぞれ異なる方向に出力するためのものである。具体的には、波長多重カプラ１３は、ＯＮＵ２０から出力され光ファイバ３２を伝送してきた光信号を光受信器１１側に出力し、光送信器１２から出力され光ファイバ３２を伝送してきた光信号を、ＯＮＵ２０が接続されている光ファイバ３２側に出力する。
【００１４】
伝送制御部１４は、インターネット等の外部ネットワーク４０から入力されたベースバンド信号に基づいて変調信号を生成して光送信器１２に入力する。光送信器１２は、半導体レーザ等の発光素子が発光する光を、伝送制御部１４から入力される変調信号で変調する。変調された光信号は下り信号として波長多重カプラ１３を介して出力され、光ファイバ３２を伝送し、各ＯＮＵ２０で受光される。
【００１５】
ＯＮＵ２０から送信され光ファイバ３２を伝送してきた上り方向の光信号は波長多重カプラ１３を介して光受信器１１に入力される。光受信器１１は、入力された光信号を光電変換し、電圧信号の受信信号に復調し、伝送制御部１４に出力する。光受信器１１は、受信信号の他に、パケット信号の信号入力又は信号断を検出した結果を示す検出信号を伝送制御部１４に出力する。
【００１６】
伝送制御部１４は、入力された受信信号をベースバンド信号に変換し、外部ネットワーク４０に出力する。また、伝送制御部１４は、入力された受信信号からパケットの終了を示す符号を検出し、それに基づき外部リセット信号を生成して、光受信器１１に出力する。
【００１７】
ここで、各ＯＮＵ２０から送信される光信号は、バースト（burst）状のパケット信号であり、各ＯＮＵ２０からの複数のパケット信号が時分割多重されて、間欠的に連なった光信号がＯＬＴ１０に入力される。以下、各ＯＮＵ２０から送信されるバースト状の光信号をパケット光信号と呼ぶ。
【００１８】
図２は、実施の形態１にかかる光受信器１１の構成例を示す図である。光受信器１１は、受光した光信号に対応する電流信号を出力する受光素子１３０と、受光素子１３０が出力する電流信号を電圧信号に変換するプリアンプ（ＴＩＡ：Trance-Impedance-Amplifier）１４０と、プリアンプ１４０が出力する電圧信号を増幅して伝送制御部１４に出力する主増幅回路１５０と、を備える。プリアンプ１４０は前置増幅回路に相当する。
【００１９】
主増幅回路１５０は、プリアンプ１４０から入力される電圧信号を差動増幅するリニアアンプ１１１と、リニアアンプ１１１の出力を一定振幅の差動信号に調整するリミッティングアンプ１１２と、リミッティングアンプ１１２が出力した信号を受信信号として出力する出力バッファ１１３と、を備える。
【００２０】
また、主増幅回路１５０は、リニアアンプ１１１の出力の一部を分岐した信号から直流電圧を除去する第１の直流電圧除去部１１４と、第１の直流電圧除去部１１４で直流電圧を除去した差動信号に予め定められた値のバイアス電圧を与えて検出用差動信号を生成する第１のバイアス電圧印加部１１５と、を備える。主増幅回路１５０は、さらに、リミッティングアンプ１１２の出力の一部を分岐した信号から直流電圧を除去する第２の直流電圧除去部１１６と、第２の直流電圧除去部１１６で直流電圧を除去した差動信号に予め定められた値のバイアス電圧を与えてリセット用差動信号を生成する第２のバイアス電圧印加部１１７と、第２のバイアス電圧印加部１１７から入力されるリセット用差動信号に基づいてパケット光信号の先頭および終了時に内部リセット信号を出力するリセット信号生成部１１８と、を備える。
【００２１】
主増幅回路１５０は、さらに、リセット信号生成部１１８が出力する内部リセット信号とリセット入力端子を介して外部から入力される外部リセット信号との論理和をリセット信号として出力する論理和回路１１９と、第１のバイアス電圧印加部１１５が出力する検出用差動信号と論理和回路１１９から出力されるリセット信号に基づき、パケット光信号の有無を示すパケット検出信号（ＳＤ：Signal  Detect）を出力するフリップフロップ回路１２０と、を備える。リセット入力端子を介して外部から入力される外部リセット信号は、上述したように、伝送制御部１４で生成される。
【００２２】
主増幅回路１５０の各構成要素のうち、リミッティングアンプ１１２、第１の直流電圧除去部１１４、第１のバイアス電圧印加部１１５、第２の直流電圧除去部１１６、第２のバイアス電圧印加部１１７、リセット信号生成部１１８、論理和回路１１９およびフリップフロップ回路１２０は、信号検出回路１１０を構成する。
【００２３】
リニアアンプ１１１は、低雑音の高周波差動アンプである。第１の直流電圧除去部１１４および第２の直流電圧除去部１１６は、それぞれ、高周波数成分のみを通過させるコンデンサから構成される。第１のバイアス電圧印加部１１５および第２のバイアス電圧印加部１１７は、それぞれ、電源と複数の抵抗から構成される。第１のバイアス電圧印加部１１５は、抵抗Ｒ１、Ｒ２およびＲ３からなる分圧回路で電源電圧を分圧することにより、予め定めたバイアス電圧を、第１の直流電圧除去部１１４で直流成分が除去された後の信号に印加する。第２のバイアス電圧印加部１１７は、抵抗Ｒ４、Ｒ５およびＲ６からなる分圧回路で電源電圧を分圧することにより、予め定めたバイアス電圧を、第２の直流電圧除去部１１６で直流成分が除去された後の信号に印加する。
【００２４】
フリップフロップ回路１２０は、任意のリセット入力型のフリップフロップ回路であり、例えば、Ｄフリップフロップ回路又はＳＲフリップフロップ回路から構成される。図２に示した構成例は、フリップフロップ回路１２０がＤフリップフロップ回路の場合を示している。第１のバイアス電圧印加部１１５が出力する検出用差動信号が差動クロック端子（Ｃ，Ｃバー）に入力され、論理和回路１１９から出力されるリセット信号がリセット端子（ＲＳＴ）に入力される。フリップフロップ回路１２０は、検出用差動信号の立ち上がりのタイミングで信号入力を示す状態で保持し、リセット信号入力のタイミングでその保持を解除することによりパケット光信号の検出の有無を示すパケット検出信号を出力する。フリップフロップ回路１２０はパケット検出信号を生成するパケット検出信号生成部である。
【００２５】
図３は、実施の形態１にかかる信号検出回路１１０が備えるリセット信号生成部１１８の構成例を示す図である。
【００２６】
リセット信号生成部１１８は、図３に示すように、第２のバイアス電圧印加部１１７が出力するリセット用差動信号を単相信号に変換する差動単相変換バッファ１１８１と、エミッタフォロワ回路１１８０用のトランジスタ１１８２および電流源１１８３と、エミッタフォロワ回路１１８０の出力電圧を保持するコンデンサ１１８４と、互いに異なる閾値電圧（Ｖ１，Ｖ２）を用いて、閾値電圧とエミッタフォロワ回路１１８０の出力電圧とを比較するコンパレータ１１８５および１１８６と、コンパレータ１１８５および１１８６の出力の排他的論理和を行う排他的論理和回路１１８７と、を備える。なお、差動単相変換バッファ１１８１は差動単相変換回路に相当し、エミッタフォロワ回路１１８０は電圧保持回路に相当し、排他的論理和回路１１８７は電圧比較回路に相当する。
【００２７】
以上のように構成された光受信器１１の信号検出に関する動作について、図４のタイミングチャートを用いて説明する。図４は、実施の形態１にかかる光受信器１１による信号検出動作のタイミングチャートを示す図である。図４は、受光素子１３０に、図４（ａ）に示すようなバースト状のパケット光信号を含む光信号が入力された時の各信号の応答を示している。
【００２８】
図４（ａ）は“１０”交番のパケット光信号を示している。このようなパケット光信号が受光素子１３０で光電変換され、受光素子１３０から出力される光電流は、プリアンプ１４０で電流電圧変換される。
【００２９】
プリアンプ１４０から出力され主増幅回路１５０に入力される信号は、図４（ｂ）に示すように、ＯＮＵ２０から送信されるパケット光信号の入力が開始となる前の無信号区間においては、プリアンプ１４０の出力雑音を含む信号である。プリアンプ１４０の出力雑音とは、プリアンプ１４０の内部で発生する雑音である。また、ＯＮＵ２０から送信されるパケット光信号の入力がある信号入力区間では、入力されるパケット光信号のパターンに基づく正相入力および逆相入力からなる差動信号が主増幅回路１５０に入力される。
【００３０】
主増幅回路１５０において、入力される差動信号はリニアアンプ１１１で差動増幅される。リニアアンプ１１１で増幅された信号は、リミッティングアンプ１１２に入力されるとともに、検出用差動信号として分岐され、第１の直流電圧除去部１１４に入力される。検出用差動信号は第１の直流電圧除去部１１４のコンデンサで直流電圧成分が除去され、第１のバイアス電圧印加部１１５で予め定められた値のバイアス電圧が印加されて、フリップフロップ回路１２０に入力される。フリップフロップ回路１２０に入力される検出用差動信号を生成する回路、すなわち第１の直流電圧除去部１１４および第１のバイアス電圧印加部１１５は、上記の特許文献１に記載されている信号検出回路において検出用差動信号を生成する回路と同様のものである。第１の直流電圧除去部１１４を構成するコンデンサの容量値および第１のバイアス電圧印加部１１５を構成する抵抗の抵抗値は、プリアンプ１４０で生成される雑音の影響を受けない検出用差動信号を生成するように設定する。また、第１の直流電圧除去部１１４を構成するコンデンサの容量値および第１のバイアス電圧印加部１１５を構成する抵抗の抵抗値は、フリップフロップ回路１２０の入力信号の電圧範囲が、後段の各回路が動作可能な電圧範囲でかつパケット光信号の受信時に差動信号として識別可能なように、ある一定差の電圧以下となるように設定する。
【００３１】
リミッティングアンプ１１２は、リニアアンプ１１１から入力される差動信号を増幅またはリミッティングして振幅を調整し、予め定められた振幅の差動信号を生成する。すなわち、リミッティングアンプ１１２は、リニアアンプ１１１から入力される差動信号の振幅が予め定められた値よりも小さい場合は増幅処理を行い、リニアアンプ１１１から入力される差動信号の振幅が予め定められた値よりも大きい場合はリミッティング処理により振幅を制限する。リミッティングアンプ１１２は、リニアアンプ１１１から入力される差動信号である入力差動信号の振幅を調整する振幅調整部である。リミッティングアンプ１１２で振幅が調整された信号は、出力バッファ１１３に入力されるとともに、リセット用差動信号として分岐され、第２の直流電圧除去部１１６に入力される。リセット用差動信号は第２の直流電圧除去部１１６のコンデンサで直流電圧成分が除去され、第２のバイアス電圧印加部１１７で予め定められた値のバイアス電圧が印加されて、リセット信号生成部１１８に入力される。
【００３２】
ここで、リセット信号生成部１１８への入力信号は、図４（ｃ）に示すように、プリアンプ１４０で発生する雑音による誤動作を回避するために、入力信号対雑音比（ＳＮＲ）が予め定めた値以上となるようにする必要がある。つまり、第２の直流電圧除去部１１６を構成するコンデンサの容量値および第２のバイアス電圧印加部１１７を構成する抵抗の抵抗値を、プリアンプ１４０で発生する雑音の影響を低減し、ＳＮＲが予め定めた値以上となるリセット用差動信号を生成するように設定する。
【００３３】
リセット信号生成部１１８に入力されたリセット用差動信号は、入力段にある差動単相変換バッファ１１８１によって単相信号に変換される。その後、エミッタフォロワ回路１１８０（トランジスタ１１８２および電流源１１８３）により“１”信号入力中はコンデンサ１１８４に電荷が蓄積され、“０”信号入力中は電流源１１８３によりコンデンサ１１８４に蓄積された電荷が放電される。ここで、“１”信号入力中はエミッタフォロワ回路１１８０内のトランジスタ１１８２のエミッタ電流が、“０”信号入力中と比較して増加するため、図４（ｄ）に示すようにパケット信号受信開始時にはエミッタフォロワ回路１１８０の出力電圧Ｖｏｕｔは急速に増加する。一方、“０”信号入力中は，エミッタフォロワ回路１１８０の電流源１１８３の電流値Ｉおよびコンデンサ１１８４の容量Ｃから、Ｉ／Ｃの速度で出力電圧Ｖｏｕｔが時間に対して線形に減少する。
【００３４】
エミッタフォロワ回路１１８０の出力電圧Ｖｏｕｔをコンパレータ１１８５で閾値電圧Ｖ１と比較した結果と、エミッタフォロワ回路１１８０の出力電圧Ｖｏｕｔをコンパレータ１１８６で閾値電圧Ｖ２と比較した結果の排他的論理和が、排他的論理和回路１１８７から出力される。ここで、Ｖ２＜Ｖ１でかつ、Ｖ２はエミッタフォロワ回路１１８０の雑音レベルより高く、Ｖ１はパケット信号入力時のエミッタフォロワ回路１１８０の出力信号の最低値より低くなるように設定する。これにより、リセット信号生成部１１８は、図４（ｅ）に示すように、Ｖ２≦Ｖｏｕｔ≦Ｖ１のときにＨｉｇｈレベルとなり、これ以外のときにはＬｏｗレベルとなる内部リセット信号を出力する。すなわち、内部リセット信号は、図４（ｅ）に示すように、パケット光信号の入力が開始された時および入力が終了した時にＨｉｇｈレベルとなる。
【００３５】
内部リセット信号は、７２ｂｉｔ程度の長さを持つＣＩＤ（Consecutive  Identical  Digit）信号のような同符号連続信号が入力された場合でも誤ってリセット信号が出力されないようにするために、ＣＩＤ信号の長さ以上の時間幅を有する。すなわち、内部リセット信号の１つのＨｉｇｈレベルの期間の時間幅をＣＩＤ信号の長さ以上とする。例えば、内部リセット信号の１つのＨｉｇｈレベルの期間の時間幅を５ｎｓ〜３０ｎｓ程度とする。この時間幅を有するようにエミッタフォロワ回路１１８０の電流値、コンデンサ１１８４の容量、閾値電圧Ｖ１および閾値電圧Ｖ２を決定する。
【００３６】
また、信号検出回路１１０には、図４（ｆ）に示すような、外部リセット信号が入力されている。信号検出回路１１０の論理和回路１１９は、リセット信号生成部１１８が出力する内部リセット信号と外部から入力される外部リセット信号との論理和であるリセット信号を出力する。
【００３７】
フリップフロップ回路１２０の差動クロック端子には検出用差動信号が入力される。フリップフロップ回路１２０は、リセット端子へのリセット信号入力後に差動クロック端子に次のパケット信号のプリアンブル信号（例えば“１０”交番信号）が入力されると、定電圧源に接続されたＤａｔａ入力を保持すなわちラッチし、Ｈｉｇｈを出力する。また、フリップフロップ回路１２０は、リセット端子にリセット信号が入力されると（ＬｏｗからＨｉｇｈに遷移）、保持しているＤａｔａ入力の電圧値の保持を解除し、出力をＬｏｗに切り替える。これにより、フリップフロップ回路１２０がパケット光信号の先頭近傍でＨｉｇｈとなり、パケット光信号の終了時近傍でＬｏｗとなるパケット検出信号（ＳＤ出力信号：図４（ｇ））を出力する。このため、パケット光信号の入力開始時および入力終了時のいずれにおいても高速応答することができる。
【００３８】
ここで、論理和回路１１９は、内部リセット信号と外部リセット信号との論理和を出力するため、パケット間のガードタイムが短く内部リセット信号が生成されない場合であっても、ガードタイム中のパケットの先頭近傍にリセット信号が外部から入力される。また、内部リセット信号が、フリップフロップ回路１２０が動作しないリセット幅となった場合でも、外部リセット信号によるリセット信号がフリップフロップ回路１２０に入力される。このように、外部リセット信号に基づいて信号断を検出する場合には、パケット終了後の適切な時間後に内部リセット信号が生成されるようにエミッタフォロワ回路１１８０の電流値、コンデンサの容量値、閾値電圧Ｖ１およびＶ２を決定してもよい。これにより、フリップフロップ回路１２０はパケット終了後に信号断を示すパケット検出信号を確実に出力することができるとともに、次のパケットの信号入力を示すパケット検出信号も確実に出力することができる。
【００３９】
また、リセット信号生成部１１８はリミッティングアンプ１１２で振幅が調整された後の差動信号を使用して内部リセット信号を生成するため、リミッティングアンプ１１２で増幅される前の差動信号を使用して内部リセット信号を生成する場合と比較して、雑音の影響による誤動作を抑制できる。図５は、実施の形態１にかかる信号検出回路１１０のリセット信号生成部１１８の動作を説明するための図である。図５において、一点鎖線は第１のバイアス電圧印加部１１５の出力信号を示し、実線は第２のバイアス電圧印加部１１７の出力信号を示す。図５において、横軸は光受信器１１への光入力パワーを示し、縦軸は、第１のバイアス電圧印加部１１５の出力信号の振幅および第２のバイアス電圧印加部１１７の出力信号の振幅を示す。また、ＳＤ解除閾値は、リセット信号生成部１１８が内部リセット信号の生成に用いる閾値である。
【００４０】
上述したように、第１のバイアス電圧印加部１１５はリミッティングアンプ１１２で増幅される前の信号を対象としてバイアス電圧を印加し、一方、第２のバイアス電圧印加部１１７はリミッティングアンプ１１２で増幅された後の信号を対象としてバイアス電圧を印加する。そのため、図５に示したように、光受信器１１への光入力パワーが同じ場合、第１のバイアス電圧印加部１１５の出力信号の振幅よりも、第２のバイアス電圧印加部１１７の出力信号の振幅の方が大きくなる。よって、リセット信号生成部１１８が第２のバイアス電圧印加部１１７の出力信号に基づいてパケット光信号の入力を検出して内部リセット信号を生成する場合、第１のバイアス電圧印加部１１５の出力信号に基づいてパケット光信号の入力を検出して内部リセット信号を生成する場合よりもノイズの影響が少なく、誤検出の発生頻度を抑制できる。図５に示した例は、光受信器１１がパケット光信号の受信を開始する場合の例を示しているが、パケット光信号の受信を終了する場合も同様である。リセット信号生成部１１８がパケット光信号の受信終了を検出して内部リセット信号を生成する場合も、第２のバイアス電圧印加部１１７の出力信号に基づいてパケット光信号の入力終了を検出した方が、誤検出の発生頻度を抑制できる。
【００４１】
以上説明したように、本実施の形態にかかる光受信器１１は、受光した光信号の強度に応じた電流信号を出力する受光素子１３０と、受光素子１３０が出力する電流信号を電圧信号に変換するプリアンプ１４０と、プリアンプ１４０から出力される電圧信号を差動増幅するリニアアンプ１１１と、リニアアンプ１１１からの出力信号に基づいて光信号であるパケット光信号の受信を検出する信号検出回路１１０とを備える。また、信号検出回路１１０は、リニアアンプ１１１からの出力信号に基づいてパケット光信号の有無を示す信号を出力するフリップフロップ回路１２０と、リニアアンプ１１１で差動増幅された電圧信号を一定振幅の差動信号に調整するリミッティングアンプ１１２と、フリップフロップ回路１２０をリセットするための内部リセット信号をリミッティングアンプ１１２からの出力信号に基づくリセット用差動信号を用いて生成するリセット信号生成部１１８とを備える。また、リセット信号生成部１１８は、リセット用差動信号を単相信号へと変換したときの電圧を保持し、保持する電圧値と互いに異なる２つの予め定めた閾値電圧とを比較した結果の排他的論理和である内部リセット信号を生成する。これにより、信号検出回路１１０は、パケット光信号の先頭で高速に信号入力を検出し、かつ、パケット光信号の終了時に高速に信号断を検出することが可能となり、パケット光信号の検出性能を高めることができる。
【００４２】
また、本実施の形態にかかる信号検出回路１１０では、リセット信号生成部１１８がリミッティングアンプ１１２で振幅が調整された後の差動信号に基づいて内部リセット信号を生成するため、内部リセット信号を生成する際に光受信器１１の主増幅回路１５０内のノイズの影響を低減することができ、誤動作を抑制できる。また、ノイズの影響を低減できるため、特許文献１で開示されている構成、すなわち同じ信号を使用して検出用差動信号およびリセット用差動信号を生成する構成を適用する場合と比較して、高速応答特性を高めることが可能となる。
【００４３】
実施の形態２．
つづいて、実施の形態２について説明する。なお、本実施の形態では、実施の形態１と共通する構成および動作については説明を省略する。
【００４４】
本実施の形態にかかる光通信システム１および光受信器１１の構成は、実施の形態１と同様である（図１および図２参照）。ただし、光受信器１１の主増幅回路１５０が備えるリセット信号生成部の構成が実施の形態１とは異なる。以下、実施の形態２にかかるリセット信号生成部をリセット信号生成部１２８と称する。リセット信号生成部１２８は、実施の形態１で説明したリセット信号生成部１１８と同様に、リミッティングアンプ１１２から出力される差動信号から直流電圧を除去しバイアス電圧を印加して得られるリセット用差動信号に基づいて内部リセット信号を生成する。
【００４５】
図６は、実施の形態２にかかる信号検出回路が備えるリセット信号生成部１２８の構成例を示す図である。なお、実施の形態１にかかるリセット信号生成部１１８と同じ構成要素に同じ符号を付している。実施の形態１にかかるリセット信号生成部１１８と共通の構成要素については説明を省略する。
【００４６】
リセット信号生成部１２８は、リセット信号生成部１１８のエミッタフォロワ回路１１８０を第１エミッタフォロワ回路１２８０および第２エミッタフォロワ回路１２９０に置き換えたものである。リセット信号生成部１２８は、図６に示すように、差動単相変換バッファ１１８１と、差動単相変換バッファ１１８１の出力を２分岐し、分岐後の信号の一方を入力する第１エミッタフォロワ回路１２８０用のトランジスタ１２８２および電流源１２８３と、第１エミッタフォロワ回路１２８０の出力電圧を保持するコンデンサ１２８４と、分岐後の信号の他方を入力する第２エミッタフォロワ回路１２９０用のトランジスタ１２９２および電流源１２９３と、第２エミッタフォロワ回路１２９０用の出力電圧を保持するコンデンサ１２９４と、閾値電圧Ｖ１と第１エミッタフォロワ回路１２８０の出力電圧との比較を行うコンパレータ１１８５と、コンパレータ１１８５と同じ閾値電圧Ｖ１と第２エミッタフォロワ回路１２９０の出力電圧との比較を行うコンパレータ１１８６と、コンパレータ１１８５および１１８６の出力の排他的論理和を行う排他的論理和回路１１８７とを備える。ここで、２つのエミッタフォロワ回路（第１エミッタフォロワ回路１２８０および第２エミッタフォロワ回路１２９０）の電流源１２８３および１２９３の電流値が互いに異なる、又は、コンデンサ１２８４および１２９４の容量値が互いに異なる。電流源の電流値およびコンデンサの容量の両方が互いに異なっていてもよい。
【００４７】
以上のように構成された実施の形態２にかかる光受信器１１の信号検出に関する動作について、図７のタイミングチャートを用いて説明する。図７は、実施の形態２にかかる光受信器による信号検出動作のタイミングチャートを示す図である。図７は、受光素子１３０に、図７（ａ）に示すようなバースト状のパケット光信号を含む光信号が入力された時の各信号の応答を示している。図７（ａ）は“１０”交番のパケット光信号を示している。
【００４８】
プリアンプ１４０から出力され主増幅回路１５０に入力される信号は、図７（ｂ）に示すように、ＯＮＵ２０から送信されるパケット光信号の入力が開始となる前の無信号区間においては、プリアンプ１４０の出力雑音を含む信号である。プリアンプ１４０の出力雑音とは、プリアンプ１４０の内部で発生する雑音である。また、ＯＮＵ２０から送信されるパケット光信号の入力がある信号入力区間では、入力されるパケット光信号のパターンに基づく正相入力および逆相入力からなる差動信号が主増幅回路１５０に入力される。
【００４９】
主増幅回路１５０において、入力される差動信号はリニアアンプ１１１で差動増幅される。リニアアンプ１１１で増幅された信号は、リミッティングアンプ１１２に入力される。リミッティングアンプ１１２で増幅された信号は、出力バッファ１１３に入力されるとともに、リセット用差動信号として分岐される。リセット用差動信号は第２の直流電圧除去部１１６のコンデンサで直流電圧成分が除去され、第２のバイアス電圧印加部１１７で予め定められた値のバイアス電圧が印加されて、図７（ｃ）に示したような信号がリセット信号生成部１２８に入力される。
【００５０】
リセット信号生成部１２８に入力されたリセット用差動信号は、入力部にある差動単相変換バッファ１１８１によって単相信号に変換される。単相信号は２分岐されて一方は第１エミッタフォロワ回路１２８０（トランジスタ１２８２および電流源１２８３）により“１”信号入力中はコンデンサ１２８４に電荷が蓄積され、“０”信号入力中は電流源１２８３によりコンデンサ１２８４に蓄積された電荷が放電される。ここで、“１”信号入力中は第１エミッタフォロワ回路１２８０用のトランジスタ１２８２のエミッタ電流は“０”信号入力中と比較して増加するため、図７（ｄ）に示すようにパケット信号受信時には第１エミッタフォロワ回路１２８０の出力電圧Ｖｏｕｔ１は急速に増加する。一方、“０”信号入力中は，第１エミッタフォロワ回路１２８０の電流源１２８３の電流値Ｉおよびコンデンサ１２８４の容量Ｃから、Ｉ／Ｃの速度でＶｏｕｔ１は時間に対して線形に減少する。
【００５１】
単相信号の他方は、第２エミッタフォロワ回路１２９０（トランジスタ１２９２および電流源１２９３）により“１”信号入力中はコンデンサ１２９４に電荷が蓄積され、“０”信号入力中は電流源１２９３によりコンデンサ１２９４に蓄積された電荷が放電される（図７（ｅ））。ここで、第２エミッタフォロワ回路１２９０の電流源１２９３の駆動電流、またはコンデンサ１２９４の容量値が、第１エミッタフォロワ回路１２８０の電流源１２８３の駆動電流、または、コンデンサ１２８４の容量値と異なるため、出力電圧Ｖｏｕｔ２の変化速度がＶｏｕｔ１の変化速度と異なる。
【００５２】
第１エミッタフォロワ回路１２８０の出力電圧Ｖｏｕｔ１をコンパレータ１１８５で閾値電圧Ｖ１と比較した結果と、第２エミッタフォロワ回路１２９０の出力電圧Ｖｏｕｔ２をコンパレータ１１８６で閾値電圧Ｖ１と比較した結果とが排他的論理和回路１１８７に入力される。排他的論理和回路１１８７は、コンパレータ１１８５での比較結果およびコンパレータ１１８６での比較結果の排他的論理和を出力する。閾値電圧Ｖ１は各エミッタフォロワ回路（第１エミッタフォロワ回路１２８０および第２エミッタフォロワ回路１２９０）の雑音レベルより高く、パケット信号入力時の各エミッタフォロワ回路の出力信号の最低値より低くなるように設定する。これにより、リセット信号生成部１２８は、図７（ｆ）に示すように、内部リセット信号をパケットの先頭およびパケットの終了時に出力する。すなわち、内部リセット信号はパケット光信号の入力が開始された時および入力が終了した時に出力される。
【００５３】
内部リセット信号は、各エミッタフォロワ回路の出力電圧Ｖｏｕｔ１，Ｖｏｕｔ２を異なる変化速度で変化させることにより、パケットの先頭およびパケットの終了時に適切な時間幅の内部リセット信号を生成可能である。適当な時間幅は、例えば、５ｎｓ〜３０ｎｓ程度である。また、７２ｂｉｔ程度の長さを持つＣＩＤ信号のように同符号連続信号が入力された場合でも誤ってリセット信号が出力されないようにするために、ＣＩＤ信号の長さ以上の時間幅を有するように各エミッタフォロワ回路の電流源の駆動電流値、各エミッタフォロワ回路の出力電圧を保持する各コンデンサの容量および閾値電圧Ｖ１を決定する。
【００５４】
実施の形態２では、実施の形態１と比較して、第２エミッタフォロワ回路１２９０が１つ増加するため回路規模としては増加するが、リセット信号生成部の動作速度を決定するパラメータとして、第２エミッタフォロワ回路１２９０の駆動電流およびコンデンサの容量が増えるため、パラメータ決定の自由度が増加するという利点がある。
【００５５】
以上説明したように、本実施の形態によれば、リセット信号生成部１２８は、リセット用差動信号から変換した単相信号を２分岐し、一方を第１エミッタフォロワ回路１２８０の出力側に設けたコンデンサ１２８４で保持し、他方を第２エミッタフォロワ回路１２９０の出力側に設けたコンデンサ１２９４で保持し、保持する２つの電圧値を予め定めた閾値電圧と比較した結果の排他的論理和である内部リセット信号を生成することとした。これにより、実施の形態１と同様の効果を得ることができ、さらに、リセット信号生成部１２８が生成する内部リセット信号の時間幅を柔軟に設定することが可能となり、内部リセット信号の時間幅を最適化できる。
【００５６】
実施の形態３．
つづいて、実施の形態３について説明する。なお、本実施の形態では、実施の形態１，２と共通する構成および動作については説明を省略する。
【００５７】
本実施の形態にかかる光通信システム１および光受信器１１の構成は、実施の形態１，２と同様である（図１および図２参照）。ただし、光受信器１１の主増幅回路１５０が備えるリセット信号生成部の構成が実施の形態１，２とは異なる。以下、実施の形態３にかかるリセット信号生成部をリセット信号生成部１３８と称する。リセット信号生成部１３８は、実施の形態１で説明したリセット信号生成部１１８と同様に、リミッティングアンプ１１２から出力される差動信号から直流電圧を除去しバイアス電圧を印加して得られるリセット用差動信号に基づいて内部リセット信号を生成する。
【００５８】
図８は、実施の形態３にかかる信号検出回路が備えるリセット信号生成部１３８の構成例を示す図である。なお、実施の形態１にかかるリセット信号生成部１１８または実施の形態２にかかるリセット信号生成部１２８と同じ構成要素に同じ符号を付している。実施の形態１にかかるリセット信号生成部１１８または実施の形態２にかかるリセット信号生成部１２８と共通の構成要素については説明を省略する。
【００５９】
リセット信号生成部１３８は、実施の形態２にかかるリセット信号生成部１２８と同様の構成である。ただし、コンパレータ１１８５および１１８６には異なる値の閾値電圧が入力される。コンパレータ１１８５には閾値電圧Ｖ１が入力され、コンパレータ１１８６には閾値電圧Ｖ２が入力される。また、２つのエミッタフォロワ回路（第１エミッタフォロワ回路１２８０および第２エミッタフォロワ回路１２９０）の電流源１２８３および１２９３の電流値が互いに異なり、また、コンデンサ１２８４および１２９４の容量値も互いに異なる。
【００６０】
以上のように構成された光受信器１１の信号検出に関する動作は、実施の形態２と同様である。２つのエミッタフォロワ回路の駆動電流を互いに異なる値とし、また、コンデンサ１２８４および１２９４の容量を互いに異なる値とし、さらに、２つのコンパレータ１１８５および１１８６の閾値電圧も異なる値とすることで、リセット信号生成部１３８は、より柔軟に内部リセット信号の生成のタイミングおよび時間幅を設定することが可能となる。
【００６１】
以上説明したように、本実施の形態によれば、リセット信号生成部１３８は、リセット用差動信号から変換した単相信号を２分岐し、一方を第１エミッタフォロワ回路１２８０の出力側に設けたコンデンサ１２８４で保持し、他方を第２エミッタフォロワ回路１２９０の出力側に設けたコンデンサ１２９４で保持し、保持する２つの電圧値を予め定めた閾値電圧と比較した結果の排他的論理和である内部リセット信号を生成することとした。これにより、実施の形態１と同様の効果を得ることができ、さらに、リセット信号生成部１３８が生成する内部リセット信号の時間幅を柔軟に設定することが可能となり、内部リセット信号の時間幅を最適化できる。
【００６２】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００６３】
１  光通信システム、１０  ＯＬＴ、１１  光受信器、１２  光送信器、１３  波長多重カプラ、１４  伝送制御部、２０  ＯＮＵ、３０  光スターカプラ、３２  光ファイバ、４０  外部ネットワーク、１１０  信号検出回路、１１１  リニアアンプ、１１２  リミッティングアンプ、１１３  出力バッファ、１１４  第１の直流電圧除去部、１１５  第１のバイアス電圧印加部、１１６  第２の直流電圧除去部、１１７  第２のバイアス電圧印加部、１１８，１２８，１３８  リセット信号生成部、１１９  論理和回路、１２０  フリップフロップ回路、１３０  受光素子、１４０  プリアンプ、１５０  主増幅回路、１１８０  エミッタフォロワ回路、１１８１  差動単相変換バッファ、１１８２，１２８２，１２９２  トランジスタ、１１８３，１２８３，１２９３  電流源、１１８４，１２８４，１２９４  コンデンサ、１１８５，１１８６  コンパレータ、１１８７  排他的論理和回路、１２８０  第１エミッタフォロワ回路、１２９０  第２エミッタフォロワ回路。
【図１】
2019163135.tif 000003
【図２】
2019163135.tif 000004
【図３】
2019163135.tif 000005
【図４】
2019163135.tif 000006
【図５】
2019163135.tif 000007
【図６】
2019163135.tif 000008
【図７】
2019163135.tif 000009
【図８】
2019163135.tif 000010
【手続補正書】
【提出日】令和1年12月13日(2019.12.13)
【手続補正１】
【補正対象書類名】特許請求の範囲
【補正対象項目名】全文
【補正方法】変更
【補正の内容】
【特許請求の範囲】
【請求項１】
バースト状のパケット信号を含む入力差動信号から直流電圧を除去する第１の直流電圧除去部と、
前記入力差動信号の振幅を調整する振幅調整部と、
前記振幅調整部で振幅が調整された後の入力差動信号に基づいて前記パケット信号の先頭及び終了後に内部リセット信号を生成するリセット信号生成部と、
前記第１の直流電圧除去部で直流電圧を除去した信号に予め定められた値のバイアス電圧を印加して検出用差動信号を生成する第１のバイアス電圧印加部と、
前記検出用差動信号に基づいてパケット信号の入力を示す状態を保持し、前記内部リセット信号に基づき前記保持を解除することにより、前記パケット信号の信号入力及び信号断を示すパケット検出信号を生成するパケット検出信号生成部と、
前記振幅調整部で振幅が調整された後の入力差動信号から直流電圧を除去する第２の直流電圧除去部と、
前記第２の直流電圧除去部で直流電圧を除去した信号に予め定められた値のバイアス電圧を印加してリセット用差動信号を生成する第２のバイアス電圧印加部と、
を備え、
前記リセット信号生成部は、
前記リセット用差動信号を単相信号へと変換する差動単相変換回路と、
前記単相信号の電圧を保持する電圧保持回路と、
前記電圧保持回路が保持する電圧と予め定めた閾値電圧とを比較した結果に基づいて前記内部リセット信号を生成する電圧比較回路と、
を備えることを特徴とする信号検出回路。
【請求項２】
前記パケット検出信号生成部は、外部から入力された外部リセット信号と前記内部リセット信号の論理和に基づいて前記保持を解除する、
ことを特徴とする請求項１に記載の信号検出回路。
【請求項３】
前記パケット検出信号生成部は、前記検出用差動信号をクロック入力端子に入力し、前記内部リセット信号と前記外部リセット信号の論理和をリセット入力端子に入力するリセット入力型Ｄフリップフロップ回路である、
ことを特徴とする請求項２に記載の信号検出回路。
【請求項４】
前記パケット検出信号生成部は、前記検出用差動信号をセット入力端子に入力し、前記内部リセット信号と前記外部リセット信号の論理和をリセット入力端子に入力するＳＲフリップフロップ回路である、
ことを特徴とする請求項２に記載の信号検出回路。
【請求項５】
前記電圧保持回路は、エミッタフォロワ回路と、前記エミッタフォロワ回路の電流源と並列に接続された電圧を保持するためのコンデンサと、を備える、
ことを特徴とする請求項１から４のいずれか１項に記載の信号検出回路。
【請求項６】
前記電圧比較回路は、互いに異なる閾値電圧を有する２つのコンパレータを有し、前記内部リセット信号は、前記電圧保持回路が保持する電圧を前記２つのコンパレータに入力したときの、前記２つのコンパレータの出力の排他的論理和である、
ことを特徴とする請求項１から５のいずれか１項に記載の信号検出回路。
【請求項７】
前記電圧保持回路は、２つのエミッタフォロワ回路と、各エミッタフォロワ回路の電流源と並列に接続された電圧を保持するための２つのコンデンサと、を備え、
前記２つのエミッタフォロワ回路の電流源の駆動電流又はコンデンサの容量値が互いに異なり、
前記電圧比較回路は、予め定めた閾値電圧を有する２つのコンパレータを有し、前記内部リセット信号は、前記２つのコンデンサで保持された電圧を前記２つのコンパレータに入力したときの、前記２つのコンパレータの出力の排他的論理和である、
ことを特徴とする請求項１から４のいずれか１項に記載の信号検出回路。
【請求項８】
前記振幅調整部は、入力差動信号の振幅が予め定められた振幅よりも大きい場合にはリミッティング処理を行い、入力差動信号の振幅が予め定められた振幅よりも小さい場合には増幅処理を行う、
ことを特徴とする請求項１から７のいずれか１項に記載の信号検出回路。
【請求項９】
バースト状の光パケット信号を電流信号に変換する受光素子と、
前記受光素子から出力される電流信号を電圧信号に変換する前置増幅回路と、
前記前置増幅回路が出力する電圧信号を増幅する主増幅回路と、を備え、
前記主増幅回路は、請求項１から８のいずれか１項に記載の信号検出回路を有する、
ことを特徴とする光受信器。
【請求項１０】
請求項９に記載の光受信器を有する親局装置。
【請求項１１】
バースト状のパケット信号の信号入力及び信号断を検出する光受信器における信号検出方法であって、
前記パケット信号を含む入力差動信号から直流電圧を除去する第１の直流電圧除去ステップと、
前記入力差動信号の振幅を調整する振幅調整ステップと、
前記振幅調整ステップにて振幅を調整した後の信号に基づいて前記パケット信号の先頭及び終了後に内部リセット信号を生成するリセット信号生成ステップと、
前記第１の直流電圧除去ステップで直流電圧を除去した信号に予め定められた値のバイアス電圧を印加して検出用差動信号を生成する第１のバイアス印加ステップと、
前記検出用差動信号に基づいてパケット信号の入力を示す状態を保持し、前記内部リセット信号に基づき前記保持を解除することにより、前記パケット信号の信号入力及び信号断を示すパケット検出信号を生成するパケット検出信号生成ステップと、
前記振幅調整ステップで振幅が調整された後の入力差動信号から直流電圧を除去する第２の直流電圧除去ステップと、
前記第２の直流電圧除去ステップで直流電圧を除去した信号に予め定められた値のバイアス電圧を印加してリセット用差動信号を生成する第２のバイアス印加ステップと、
を含み、
前記リセット信号生成ステップは、
前記リセット用差動信号を単相信号へと変換する差動単相変換工程と、
前記単相信号の電圧を保持する電圧保持工程と、
前記電圧保持工程で保持する電圧と予め定めた閾値電圧との比較した結果に基づいて前記内部リセット信号を生成する電圧比較工程と、
を有する、
ことを特徴とする信号検出方法。
【手続補正２】
【補正対象書類名】明細書
【補正対象項目名】０００７
【補正方法】変更
【補正の内容】
【０００７】
上述した課題を解決し、目的を達成するために、本発明にかかる信号検出回路は、バースト状のパケット信号を含む入力差動信号から直流電圧を除去する第１の直流電圧除去部と、入力差動信号の振幅を調整する振幅調整部と、振幅調整部で振幅が調整された後の入力差動信号に基づいてパケット信号の先頭及び終了後に内部リセット信号を生成するリセット信号生成部と、を備える。また、信号検出回路は、第１の直流電圧除去部で直流電圧を除去した信号に予め定められた値のバイアス電圧を印加して検出用差動信号を生成する第１のバイアス電圧印加部と、検出用差動信号に基づいてパケット信号の入力を示す状態を保持し、内部リセット信号に基づき保持を解除することにより、パケット信号の信号入力及び信号断を示すパケット検出信号を生成するパケット検出信号生成部と、を備える。また、信号検出回路は、振幅調整部で振幅が調整された後の入力差動信号から直流電圧を除去する第２の直流電圧除去部と、第２の直流電圧除去部で直流電圧を除去した信号に予め定められた値のバイアス電圧を印加してリセット用差動信号を生成する第２のバイアス電圧印加部と、を備える。リセット信号生成部は、リセット用差動信号を単相信号へと変換する差動単相変換回路と、単相信号の電圧を保持する電圧保持回路と、電圧保持回路が保持する電圧と予め定めた閾値電圧とを比較した結果に基づいて内部リセット信号を生成する電圧比較回路と、を備える。
【国際調査報告】
2019163135.tif 000011
2019163135.tif 000012
2019163135.tif 000013
2019163135.tif 000014